(57)【要約】【課題】従来のＩＣタグはヒ−トサイクルに弱く、寒冷地や熱帯地方に於いてしばしば故障が発生している。  此等のＩＣタグは熱に対する防護を怠った為に発生する故障が多く見られた。【解決手段】本案は従来のＩＣタグを、真空雰囲気中に置き、外部の熱の及ばない真空カプセルの中に遊挿状に収蔵したことで外気温度を遮断した事で目的を達成した。【選択図】  図  １
2005293524.tif 000002
【特許請求の範囲】
【請求項１】
ＩＣタグ（アンテナ付きＩＣチップ）で構成されているＩＣタグを真空状態で水蜜素材に封入密封したことを特徴とするＩＣタグカプセル。
【請求項２】
ＩＣタグ（アンテナ付きＩＣチップ）を再利用出来る様に真空容器外壁面上に切断用切り取り溝を刻設した事を特徴とするＩＣタグ封入体。
【請求項３】
真空容器中に収納されているＩＣタグ（アンテナ付きＩＣチップ）を使用後真空容器切断用切り込み線より折割して中から無傷のまま使用済みＩＣタグを取出し再び新しいＩＣタグとして使用出来る様にしたＩＣカプセル。
【発明の詳細な説明】
【技術分野】
【０００１】  本発明はＩＣタグ（アンテナ付きＩＣチップ）を収蔵するカプセルに関するものである即ちＩＣタグ（アンテナ付きＩＣチップ）を任意形円筒カプセルに遊挿し、任意形円筒カプセルの内部を真空にした後、任意形円筒カプセルの両端を封着したものである。
又任意形円筒カプセルには任意箇所に折曲折損用切れ目を入れておき使用後に此の折り目陥没溝より折損して真空円筒カプセルよりＩＣタグ（アンテナ付きＩＣチップ）を取り出して回収し無傷のまま再使用が出来る様に加工して為るＩＣタグ（アンナ付きＩＣチップ）用真空密閉カプセルに関する。
【背景技術】
【０００２】  一般に使用されているＩＣタグ（アンテナ付きＩＣチップ）はペ−パ−状の物が多く使用されている他まれに箱形の物も用いられている
輸送会社は取り扱い商品に此等のＩＣタグ（アンテナ付きＩＣチップ）を添付したりして使用し情報を読み取って配送先を分類別に仕分けして商品の授受をしたり、販売に用いたりしている。
【発明の開示】
【発明が解決しようとする課題】
【０００３】  本発明は任意の棒状パイプ形カプセルで構成されている。
発明を構成する材質は柔軟性から硬質性迄広範囲の材料を使って組み立てられるので使用範囲が拡大される。【０００４】  例えば軟質性材料で構成した物は鯉の尻から体内に挿入して、鯉を生きたまま分類し仕分けして輸送事が可能となる、
又マグロ等の高級魚は捕獲から漁船、ねみずあげした漁港その他のデ−タをＩＣタグに記憶させて魚の腸内に尻から挿入しておくと輸送する時の配送先別仕分けも生きたままで行なう事が容易である、又此のル−トにおける雰囲気温度の高温低温に曝される魚の温度変化は、魚の体内のＩＣタグ（アンテナ付きＩＣチップ）も此のヒ−トサイクルの影響を受けるので、防温対策が不可欠となる。【０００５】  従来のＩＣタグは合成樹脂製容器又はペ−パ−製材料の容器で作られ保護されているだけで本案の様に雰囲気温度に対して何等の防温対策もなされていない欠点があるが此れを解決したのが本案の真空封入法である。【０００６】  アメリカ大陸へ物資を輸送する時のヒ−トサイクルは其の冴えたるもので、従来のＩＣタグでは考えられない周囲の環境温度に曝されている。
一例として日米間の輸送システムについて例を記すと輸送経路は次の如くなる、
日本の東京港で商品を船積して港を出港しアメリカに向かう場合は、先ず日本より北に向かって北上し北極回りで西海岸に至る（この時北極でコンテナが北風に曝されるとコンテナの表面温度は−６０℃に下る）船は西海岸に沿って太平洋を南下しシアトル港に入港する（この間船積みのコンテナは太陽に曝されて温度が上昇し、コンテナの表面温度は７０℃にもなる）ここでコンテナは陸上輸送をするため貨車に積み替えられ列車で東海岸へ向かう、即ちアメリカ大陸横断である、
此の鉄道路線はロッキ−山脈を越えるため往路には山に登り続いて山を下る、ロッキ−山脈を越える時山頂付近で山風に吹かれるとコンテナが冷却されるのでコンテナの表面温度が−４０〜５０℃に冷却される、その後アメリカ大陸の平坦地を東に向かって走行する、此の間山で冷却され平地で常温に加熱されるというヒ−トサイクルが繰り替えされることになる。【０００７】  以上の輸送ル−トの中でＩＣタグはヒ−トサイクルに曝されて加熱と冷却が行なわれる上記の通り輸送ル−トには多くのヒ−トサイクルに曝される事が多く有り並のＩＣ包装では此の様な使用に対応しきれない、
考えられるマイナス要因は、ＩＣを包む外装部材料とＩＣの接合境界に於いてヒ−トサイクルによる材料の体積膨張率の相違によってＩＣを包む外装部材料とＩＣの接合境界に於いてハクリが発生し易くなり物理的故障や断線を起こす恐れがあるので此れを防止するＩＣタグケ−スを設ける必要がある。
【課題を解決するための手段】
【０００８】  上記の問題を解決するため本発明は、ＩＣタグ全体を水蜜素材で作った任意形状の真空  容器中に封入しその端部を掩塞した真空封入用ＩＣタグカプセルつくって解決した。
本案に於いてはＩＣタグ（アンテナ付きＩＣチップ）を無傷で再利用する事が出来る
その方法は、使用前本案の真空封入用ＩＣタグカプセルの外壁の任意箇所に窪み状にした折り目用割り線を任意方向に刻設した事で目的を達成した。
即ちＩＣタグ（アンテナ付きＩＣチップ）を使用後通例では不要（一部には使用出来ない）になるのであるが、本案のＩＣタグカプセルは折り目用割り線を左右に折り曲げて本案ケ−スを分割して切り離すとＩＣタグカプセル内よりＩＣタグ（アンテナ付きＩＣチップ）を物理的損傷する事無く採取する事が出来るので此れを再び使用する事が可能である
【発明の効果】
【０００９】  本発明を以上の様な欠点を改良様に実施されると以下に記載するような効果を挙げることが出来る。
又再使用するに当たってはＩＣタグ（アンテナ付きＩＣチップ）の前情報を消去した後新用途を記憶させ新品同様に使用する事が出来る様になった。
ＩＣタグ（アンテナ付きＩＣチップ）を真空中カプセルに蜜封して使用するため外気の温度変化に影響される事が無くなった。
此の為従来一般に使用されているＩＣタグと異なった用途が開かれた。
例えば水産関係用で鮮魚への封入法である
軟質性材料で構成したカプセルは鯉の尻から体内に挿入して、鯉を生きたまま分類し仕分けして輸送する事が可能となった。【００１０】又マグロ等の高級魚は捕獲から漁船みずあげした漁港魚河岸その他のデ−タをＩＣタグに記憶させて魚の腸内に尻から挿入しておくと輸送する時の配送先別仕分けも生きたままで行なう事が容易である、又此のル−トにおける雰囲気温度は極低温に曝される為魚の温度変化は、魚の体内に挿入したＩＣタグも此のヒ−トサイクルの影響を受けるのであるが本案の真空中カプセルに蜜封して使用するので防温対策を特に必要としない特徴がある。
又ＩＣタグ（アンテナ付きＩＣチップ）用本案カプセルの構成部材を硬質材料で構成した場合はハクリし易い木材に打ち込んで使用出来るのでタグ添付の出来ない物に使用するとタグの脱落、紛失する事が無い様容易に簡単に確実に楔着する事が出来る。【００１１】  本案のＩＣタグ（アンテナ付きＩＣチップ）用本案カプセルを曲成して円形リング状に折曲し指輪にした場合わ又別の用途が開ける。
例えば老年者や自動車運転者、外勤の多いセ−ルスマン等が外出先で不慮の事故に遇った場合普通救急車が来て救急態勢に入った時、先ず隊員の知りたいことは  何処の誰で普段の生活の様子身体の状態を表す血液型病歴服用中の薬名その他諸々の物があるが怪我をした本人から細かい事を聞き出すことが救急の場合は出来ない、この時怪我人から指に嵌めている本案の指輪型ＩＣタグ（アンテナ付きＩＣチップ）カプセルの円形リングを取り（アンテナ付きＩＣチップ）取り出して記憶情報を読み取る事で救急隊員は正しい処置を早急に施す事が出来るのて人命救助の一貫として大いに役立つ効果がある。【００１２】  又怪我人が  初めて医師に診察してもらう場合にも医師の判断を決定付ける資料として参考にする事によって迅速な治療を正しく早く受けられる効果が有る。【００１３】  一例として日米間の輸送システムについて例を記すと輸送経路は次の如くなる、
日本の東京港で商品を船積して港を出港しアメリカに向かう場合は、先ず日本より北に向かって北上し北極回りで西海岸に至る（この時北極でコンテナが北風に曝されるとコンテナの表面温度は−６０℃に下る）船は西海岸に沿って太平洋を南下しシアトル港に入港する（この間船積みのコンテナは太陽に曝されて温度が上昇し、コンテナの表面温度は７０℃にもなる）ここでコンテナは陸上輸送をするため貨車に積み替えられ列車で東海岸へ向かう、即ちアメリカ大陸横断である、【００１４】    此の鉄道路線はロッキ−山脈を越えるため往路には山に登り続いて山を下る、ロッキ−山脈を越える時山頂付近で山風に吹かれるとコンテナが冷却されるのでコンテナの表面温度が−４０〜５０℃Ｉ；冷却される、その後アメリカ大陸の平坦地を東に向かって走行する、此の間山で冷却され平地で常温に加熱されるというヒ−トサイクルが繰り替えされることになる。
考えられるマイナス要因は、ＩＣを包む外装部材料とＩＣの接合境界に於いてヒ−トサイクルによる材料の体積膨張率の相違によってＩＣを包む外装部材料とＩＣの接合境界に於いてハクリが発生し易くなり物理的故障や断線を起こす恐れがあるので此れを防止するＩＣタグケ−スを設ける事によって此の問題も解決した。
又ＩＣタグ（アンテナ付きＩＣチップ）用本案カプセルの構成部材を硬質材料で構成した場合はハクリし易い木材に打ち込んで使用出来るのでタグ添付の出来ない物に使用するとタグの脱落、紛失する事が無く容易に簡単に確実に楔着する事が出来る特徴がある。
【発明の実施するための最良の形態】
【００１５】  以下本発明の実施の形態を図１〜図５に基ずいて説明する。
【００１６】  図１於いては１は水蜜素材製ＩＣ用真空カプセルの密封体である、この中にはＩＣタグ（アンテナ付きＩＣチップ）２が遊挿されていて、カプセルの外壁の任意箇所に切断用割り溝３を刻設したものである。図は断面図で縦に割って中のＩＣタグが見えるものでＩＣタグはベ−ス台４に展着してある。
【００１７】  図２に於いては水蜜素材製ＩＣ用真空カプセルの密封体１を切断用割り溝３から折り曲げて折れ断面５から、カプセル内のＩＣタグ２を無傷のまま取り出す状態図を示す。
【００１８】  図３は、リング状に曲成した、水蜜素材製ＩＣ用真空カプセル１の密封体の平面断面図である。
２は水蜜素材製ＩＣ用真空カプセル１の中にＩＣタグ２が曲成状に遊挿されている又リング形に整形したのは指輪として用いる目的のもので、端末同志は円形に丸めた円軸上の一点で突き合わせ７てある。
此の突き合わせと１８０度反対側のＩＣ用真空カプセル１の内側面に割り溝３を刻設しておくものである、
【００１９】  図４は図３の割り溝３の部分を拡大表示した一部のＩＣ用真空カプセル１の表面図である、ここで示す割り溝３はＩＣ用真空カプセル１の表面に窪みを刻設したものでカプセル材料を凹ませる程度のものでカブセル材料を突き破るものではない。
【００２０】  図５は図３図４でしめすＩＣ用真空カプセル１を割り溝３で切り離した断面５からＩＣタグ２が露出していて、無傷のまま取りたせる状態を示したちので、此れを断面図で示すと中に収蔵されたＩＣタグの状態を知る事が出来る。
【００２１】  図６は一般搬送用プラスチク製ビ−ル壜コンテナ−１２におけるＩＣ用真空カプセル装着の一実施例を示すものである。
、即ちＩＣタグを装着する挿入穴８をコンテナ肩部側縁１３に刻設したものでＩＣ用真空カプセル挿入穴８は直径４ｍｍ深さ７０ｍｍの有底穴８で此れにＩＣ用真空カプセル２を挿入して使用する、このＩＣタグ２にはコンテナ１２内の必要な情報が総て記録されている、即ちアサヒビ−ル何本，サッポロビ−ル何本，キリンビ−ル何本とタグに記録されているので、高く積み上げたコンテナの上からリ−ダ−ライタ−で表面をスキャンニングしていくだけで積み荷の内容が一目で読み取れると同時に伝票の作成が出来混載も容易である。
【００２２】  ＩＣ用真空カプセル２を挿入穴８に装着するとＩＣ用真空カプセル２のカプセル外壁に曲成した陥没溝９にＩＣ用真空カプセル挿入穴８内の突起が嵌合し合って挿入穴８内にＩＣ用真空カプセル２を挟着する。
【００２３】  ＩＣ用真空カプセル２の端部１３に装着したストラップ１０はＩＣ用真空カプセル２をＩＣ用真空カプセル２を挿入穴８内外に嵌脱する時用いる物である。
又ＩＣ用真空カプセル２の外壁部に印字したバ−コ−ド１１は従来のバ−コ−ドスキャナ−で在来の物で、情報読取り情報操作幅を広げる物である。
【図面の簡単な説明】
【００２４】
【図１】    本発明の実施形態を示すＩＣ用真空カプセルの平面断面図を示す
【図２】    図１のＩＣ用真空カプセルを割れ目溝３で割って切り離した断面からＩＣタグ２を取り出せる状態を示す。
【図３】    本発明の応用の一つで、ＩＣ用真空カプセルをリング状に丸めて指輪状に成形したもので中のＩＣの収蔵状態を示す平面断面図である。
【図４】    図３の割目溝の一部を拡大した外観図である。
【図５】    図３の割目溝の一部を切損し中のＩＣを取出す状態を示す平面断面図
【図６】    図６は一般搬送用プラスチク製ビ−ル壜コンテナ−におけるＩＣ用真空カプセル装着の一実施例を示すもので、ＩＣタグを装着する挿入穴をコンテナ肩部側縁に刻設したものである。
【図７】    図７はコンテナ−用ＩＣタグの外観斜視図を示す。
【符号の説明】
【００２５】１        ＩＣ用真空カプセル
３        割り溝
５        割り目の断面
７        指輪カプセルの突き合わせ部分
９        ＩＣ用真空カプセル外壁の陥没溝
１１      バ−コ−ド
１２      ビ−ル運搬用コンテナ−
１３      コンテナ肩部側縁
【図１】
2005293524.tif 000003
【図２】
2005293524.tif 000004
【図３】
2005293524.tif 000005
【図４】
2005293524.tif 000006
【図５】
2005293524.tif 000007
【図６】
2005293524.tif 000008
【図７】
2005293524.tif 000009